(57)【特許請求の範囲】
【請求項１】
車室の空調用空気を流通させる空気流通路を有する発泡樹脂成形体からなる空調ダクトであって、
車室内に上記空調用空気を吹き出すための吹出用開口部を有し、
該吹出用開口部の周囲の開口周囲部には、車室内壁の少なくとも一部を構成する車室パネルに形成されたパネル開口部の周囲とパッキンを介して密着する密着固定部が周状に形成されており、
上記開口周囲部における上記密着固定部の外周側には、上記開口周囲部を補強するために上記空気流通路側に窪ませた凹状補強部が形成されており、
該凹状補強部は、上記開口周囲部における複数箇所に、上記密着固定部の外周側に隣接して形成されていることを特徴とする空調ダクト。
【請求項２】
請求項１において、上記凹状補強部は、上記空調用空気の流れ方向に沿うと共に上記開口周囲部の表面に垂直な平面による断面形状が、三角形状を有することを特徴とする空調ダクト。
【請求項３】
請求項１又は２において、上記凹状補強部は、上記空調ダクトの角部に形成されていることを特徴とする空調ダクト。
【請求項４】
請求項１〜３のいずれか一項において、上記空調ダクトは、車室の天井に配される上記車室パネルの上方に配設されるダクトであることを特徴とする空調ダクト。
【発明の詳細な説明】
【技術分野】
【０００１】
本発明は、車室の空調用空気を流通させるための車両用の空調ダクトに関する。
【背景技術】
【０００２】
車両の車室には、エアコン等の空調用空気を流通させる空調ダクトが、天井や壁面に沿って、車室パネルの裏側に配設されている。かかる空調ダクトとして、樹脂を発泡成形してなる発泡樹脂成形体からなるダクトが種々提案されている（特許文献１、２、３等参照）。
発泡樹脂成形体を用いた空調ダクトは、軽量であると共に断熱性にも優れるという利点を有する。
【０００３】
【特許文献１】特開２００２−１５４３１４号公報
【特許文献２】特開２００２−１８１３７２号公報
【特許文献３】特開２００５−１９３７２６号公報
【発明の開示】
【発明が解決しようとする課題】
【０００４】
しかしながら、発泡樹脂成形体を用いた空調ダクトは、通常のソリッド材（中実材）に比べて強度が低下しやすいという問題があり、特に、空調ダクトの吹出用開口部の周囲である開口周囲部は、剛性が低下しやすく、変形しやすい。
そのため、図９に示すごとく、空調ダクト９の開口周囲部９２を、車室パネル４におけるパネル開口部４１の周囲に、パッキン５１を介して密着させようとしても、その押圧力によって開口周囲部９２が変形してしまい、パッキン５１との間に隙間９９が生じてしまうおそれがある。その結果、この隙間９９から風漏れが生じてしまうおそれがあるという問題がある。
【０００５】
本発明は、かかる従来の問題点に鑑みてなされたもので、開口周囲部における車室パネルとの間のシール性に優れた空調ダクトを提供しようとするものである。
【課題を解決するための手段】
【０００６】
本発明は、車室の空調用空気を流通させる空気流通路を有する発泡樹脂成形体からなる空調ダクトであって、
車室内に上記空調用空気を吹き出すための吹出用開口部を有し、
該吹出用開口部の周囲の開口周囲部には、車室内壁の少なくとも一部を構成する車室パネルに形成されたパネル開口部の周囲とパッキンを介して密着する密着固定部が周状に形成されており、
上記開口周囲部における上記密着固定部の外周側には、上記開口周囲部を補強するために上記空気流通路側に窪ませた凹状補強部が形成されており、
該凹状補強部は、上記開口周囲部における複数箇所に、上記密着固定部の外周側に隣接して形成されていることを特徴とする空調ダクトにある（請求項１）。
【０００７】
次に、本発明の作用効果につき説明する。
上記空調ダクトは、上記開口周囲部における上記密着固定部の外周側に、上記開口周囲部を補強するための上記凹状補強部を形成してなる。これにより、上記開口周囲部の剛性を向上させることができる。そのため、開口周囲部における密着固定部を、上記車室パネルのパネル開口部の周囲のパッキンに押し当てても、開口周囲部が大きく変形することを防ぐことができる。それ故、密着固定部が、その全周にわたってパッキンと充分に密着し、開口周囲部と車室パネルとの間に隙間が生じることを防ぐことができる。
その結果、開口周囲部における車室パネルとの間のシール性を高めることができる。
【０００８】
また、上記凹状補強部は、凸状ではなく凹状であるため、たとえ凹状補強部の形成部が上記パッキンに接触しても、パッキンが押し退けられるように変形するおそれがない。すなわち、仮に上記凹状補強部の代わりに、外側へ突き出た凸状の補強部を設けた場合には、その凸状の補強部がパッキンを部分的に押し込むことにより、パッキンが変形し、場合によっては、押し込まれた部位の周囲において、開口周囲部との間の隙間が形成され、シール性を低下させるおそれも考えられる。しかし、本発明は、凹状の上記凹状補強部を設けるものであるため、このような不具合を招くことを防ぐことができる。
【０００９】
以上のごとく、本発明によれば、開口周囲部における車室パネルとの間のシール性に優れた空調ダクトを提供することができる。
【発明を実施するための最良の形態】
【００１０】
本発明（請求項１）において、上記凹状補強部は、上記空調用空気の流れ方向に沿うと共に上記開口周囲部の表面に垂直な平面による断面形状が、三角形状を有することが好ましい（請求項２）。
この場合には、上記空気流通路における空調用空気の流れに対して、上記凹状補強部が抵抗となることを抑制することができる。また、これにより、空調ダクトにおける風切音の発生を抑制することができる。
また、上記断面形状が三角形状であることにより、上記凹状補強部による上記開口周囲部の剛性を効果的に向上させることができる。
【００１１】
また、上記凹状補強部は、上記空調ダクトの角部に形成されていることが好ましい（請求項３）。
この場合には、上記凹状補強部によって上記開口周囲部の剛性を効果的に向上させることができる。また、上記凹状補強部の形成を容易に行うことができる。
【００１２】
また、上記凹状補強部は、上記開口周囲部における複数箇所に形成されている。
これにより、上記開口周囲部の剛性を充分に向上させることができる。
【００１３】
また、上記空調ダクトは、車室の天井に配される上記車室パネルの上方に配設されるダクトとすることができる（請求項４）。
この場合にも、開口周囲部における車室パネルとの間のシール性に優れた空調ダクトを提供することができる。
【実施例】
【００１４】
本発明の実施例に係る空調ダクトにつき、図１〜図８を用いて説明する。
本例の空調ダクト１は、車室の空調用空気を流通させる空気流通路１１を有する発泡樹脂成形体からなるダクトである。
空調ダクト１は、図１〜図４に示すごとく、車室内に空調用空気を吹き出すための吹出用開口部１２を有する。
【００１５】
該吹出用開口部１２の周囲の開口周囲部２には、車室内壁の少なくとも一部を構成する車室パネル４に形成されたパネル開口部４１の周囲とパッキン５１を介して密着する密着固定部２１が周状に形成されている。
そして、開口周囲部２における密着固定部２１の外周側には、開口周囲部２を補強するために空気流通路１１側に窪ませた凹状補強部３が形成されている。
【００１６】
空調ダクト１は、例えば、発泡ポリエチレン等の発泡樹脂材料からなる発泡樹脂成形体であって、ブロー成形法によって成形される。
また、上記パッキン５１は、例えば、発泡ウレタン等の弾性部材からなり、空調ダクト１を車室パネル４に固定する前の状態から、車室パネル４におけるパネル開口部４１の周囲部分に周状に接着してある。
【００１７】
図１に示すごとく、凹状補強部３は、開口周囲部２における複数箇所に形成されている。すなわち、開口周囲部２のうち、略長方形状の吹出用開口部１２の一対の長辺に沿った位置に、それぞれ、３個ずつの凹状補強部３が等間隔で形成されている。
【００１８】
また、凹状補強部３は、空調用空気の流れ方向Ｆに沿うと共に開口周囲部２の表面に垂直な平面による断面形状（図５に現れる断面形状）が、三角形状を有する。凹状補強部３は、図１に示すごとく、平面視菱形形状を有する。そして、この菱形形状の長手方向の対角線が、上記空調用空気の流れ方向Ｆと平行となるように形成されている。この対角線に沿った上記の断面形状が、図５に示すような三角形状を有する。
【００１９】
すなわち、図５に現れる断面形状において、上記凹状補強部３は、二つの斜辺部３１からなる。そして、この二つの斜辺部３１と、凹状補強部３の両側における空調ダクト１の外表面の仮想延長線１６とによって囲まれる形状が、三角形状を有する。本例においては、この三角形状は二等辺三角形であり、その各斜辺部３１が仮想延長線１６となす角度θは、たとえば３０〜４５°であることが好ましい。
【００２０】
また、図１〜図４に示すごとく、凹状補強部３は、空調ダクト１の角部１３に形成されている。すなわち、図４に示すごとく、開口周囲部２には、吹出用開口部１２からの吹出方向Ｇと反対側に向かって後退するように屈曲（湾曲）した角部１３が形成されており、該角部１３に凹状補強部３が形成されている。
【００２１】
また、開口周囲部２における密着固定部２１には、吹出用開口部１２の吹出方向Ｇに向かって突出した突出部２１１が形成されている。密着固定部２１を、室内パネル４におけるパネル開口部４１の周囲に取り付けられたパッキン５１に密着させる際には、上記突出部２１１をパッキン５１に食い込ませるようにする。
【００２２】
本例の空調ダクト１は、車室の天井に配される室内パネル４の上方に配設されるダクトである。すなわち、空調ダクト１は、図７に示すごとく、車室の天井に配される室内パネル４（天井パネル）の上面の側端部分に一対配設される。各空調ダクト１は、複数箇所の固定部１４を側方に突出形成してなり、該固定部１４において、ホットメルトによって室内パネル４に固定されている。
また、一対の空調ダクト１は、その後端において、後方ダクト６に接続されている。該後方ダクト６は、室内パネル４の上面の後端部分にホットメルトによって固定されている。そして、後方ダクト６の左右両端部に設けた接続開口部６１を、上記一対の空調ダクト１の後端部に設けた接続開口部１５に接続してある。
【００２３】
各空調ダクト１は、その前端部付近と後端部付近とに、それぞれ、吹出用開口部１２を設けている。そして、車室パネル４には、これらの吹出用開口部１２に対応する位置にそれぞれ、図４に示すごとくパネル開口部４１を形成してある。また、パネル開口部４１には、吹出グリル５２が車室側から取り付けられる。
【００２４】
次に、本例の作用効果につき説明する。
上記空調ダクト１は、開口周囲部２における密着固定部２１の外周側に、開口周囲部２を補強するための凹状補強部３が形成されている。これにより、開口周囲部２の剛性を向上させることができる。そのため、開口周囲部２における密着固定部２１を、車室パネル４のパネル開口部４１の周囲のパッキン５１に押し当てても、開口周囲部２が大きく変形することを防ぐことができる。それ故、密着固定部２１が、その全周にわたってパッキン５１と充分に密着し、開口周囲部２と車室パネル４との間に隙間が生じることを防ぐことができる。
その結果、開口周囲部２と車室パネル４との間のシール性を高めることができる。
【００２５】
また、凹状補強部３は、凸状ではなく凹状であるため、図８に示すごとく、たとえ凹状補強部３の形成部がパッキン５１に接触しても、パッキン５１が押し退けられるように変形するおそれがない。すなわち、仮に凹状補強部３の代わりに、外側へ突き出た凸状の補強部を設けた場合には、その凸状の補強部がパッキン５１を部分的に押し込むことにより、パッキン５１が変形し、場合によっては、押し込まれた部位の周囲において、開口周囲部２との間の隙間が形成され、シール性を低下させるおそれも考えられる。しかし、本発明は、凹状の上記凹状補強部３を設けるものであるため、このような不具合を招くことを防ぐことができる。
【００２６】
また、凹状補強部３は、空調用空気の流れ方向Ｆに沿うと共に開口周囲部２の表面に垂直な平面による断面形状（図５に現れる断面形状）が、三角形状を有するため、空気流通路１１における空調用空気の流れに対して、凹状補強部３が抵抗となることを抑制することができる。また、これにより、空調ダクト１における風切音の発生を抑制することができる。また、上記断面形状が三角形状であることにより、凹状補強部３による開口周囲部２の剛性を効果的に向上させることができる。
【００２７】
また、凹状補強部３は、空調ダクト１の角部１３に形成されているため、凹状補強部３によって開口周囲部２の剛性を効果的に向上させることができる。また、凹状補強部３の形成を容易に行うことができる。
また、凹状補強部３は、開口周囲部２における複数箇所に形成されているため、開口周囲部２の剛性を充分に向上させることができる。
【００２８】
以上のごとく、本例によれば、開口周囲部における車室パネルとの間のシール性に優れた空調ダクトを提供することができる。
【図面の簡単な説明】
【００２９】
【図１】実施例における、空調ダクトの吹出用開口部周辺の平面図。
【図２】実施例における、空調ダクトの吹出用開口部周辺の斜視図。
【図３】実施例における、空調ダクトの吹出用開口部周辺の他の斜視図。
【図４】図１のＡ−Ａ線矢視断面図。
【図５】図１のＢ−Ｂ線矢視断面相当の、凹状補強部の断面図。
【図６】実施例における、空調ダクトの斜視図。
【図７】実施例における、車室パネルに取り付けられた空調ダクトの斜視図。
【図８】図１のＢ−Ｂ線矢視断面相当の、パッキンが凹状補強部に接触する状態の断面図。
【図９】従来例における、空調ダクトの吹出用開口部周辺の断面図。
【符号の説明】
【００３０】
１  空調ダクト
１１  空気流通路
１２  吹出用開口部
２  開口周囲部
２１  密着固定部
３  凹状補強部
４  車室パネル
４１  パネル開口部
５１  パッキン
【図１】
0005056424.tif 000002
【図２】
0005056424.tif 000003
【図３】
0005056424.tif 000004
【図４】
0005056424.tif 000005
【図５】
0005056424.tif 000006
【図６】
0005056424.tif 000007
【図７】
0005056424.tif 000008
【図８】
0005056424.tif 000009
【図９】
0005056424.tif 000010